(57)【要約】      （修正有）【課題】容器先端部を切断した後でも、容器内に残ったチョコレートを密封して保存しておくことができる食品押出式チューブ容器を提供する。【解決手段】チューブ本体２のノズル４先端の口部４ａと、キャップ６の開口部６ｂとが、切離し可能に溶着されてなり、キャップ６を切離すことで、口部４ａ及び開口部６ｂがともに開放された状態となってチューブ本体２とキャップ６とが分離され、キャップ６の開口部６ｂをノズル４先端の口部４ａに被せて強制的にキャップ６を押込むことで口部４ａを閉塞封止可能とする。【選択図】図２
0003199248.tif 000002
【実用新案登録請求の範囲】
【請求項１】
チューブ本体のノズル先端の口部と、キャップの開口部とが、括れ部を介して切離し可能に接続されてなり、前記括れ部を切断することで、前記口部及び開口部がともに開放された状態となって前記チューブ本体とキャップとが分離され、当該キャップの開口部を前記ノズル先端の口部に被せて強制的にキャップを押込むことで当該口部を閉塞封止可能としたことを特徴とする食品押出式チューブ容器。
【請求項２】
前記キャップの外周面には、当該キャップを手指でもって捻るようにして切断するためのフランジ部が水平方向に形成されてなる請求項１記載の食品押出式チューブ容器。
【考案の詳細な説明】
【技術分野】
【０００１】
本考案は、例えばチョコレート等の半固形菓子等の食品を封入し、手指による圧潰操作で内部の半固形食品を押出可能とした合成樹脂製の食品押出式チューブ容器に関する。
【背景技術】
【０００２】
従来、製菓用のチョコレートペンやデコレーションペンなるものが普及している。これは、チョコレート等を封入する押し出し型式チューブであって、使う前にお湯で温めて中身を柔らかくして、チョコレートが排出される先端部を切断し、内部のチョコレートを搾り出す（スクイズ）することで、お菓子やケーキに絵を書くことができるものである。なお、チョコレート以外でも、ジャム（ジャムペン）などもある。
【考案の概要】
【考案が解決しようとする課題】
【０００３】
しかしながら、従来においては、上記先端部を一度切断してしまうと、元の状態に戻すことができず、そのため１度使うと、再度の密封が不可能となっていた。
【０００４】
そこで、本考案は叙上のような従来存した諸事情に鑑み創出されたもので、容器先端部を切断した後でも、容器内に残ったチョコレートを密封して保存しておくことができる食品押出式チューブ容器を提供することを目的とする。
【課題を解決するための手段】
【０００５】
上述した課題を解決するために、本考案にあっては、チューブ本体のノズル先端の口部と、キャップの開口部とが、括れ部を介して切離し可能に接続されてなり、前記括れ部を切断することで、前記口部及び開口部がともに開放された状態となって前記チューブ本体とキャップとが分離され、当該キャップの開口部を前記ノズル先端の口部に被せて強制的にキャップを押込むことで当該口部を閉塞封止可能としたことを特徴とする。
【０００６】
また、前記キャップの外周面には、当該キャップを手指でもって捻るようにして切断するためのフランジ部が水平方向に形成されてなることを特徴とする。
【考案の効果】
【０００７】
本考案によれば、容器先端部を切断した後でも、容器内に残ったチョコレートを密封して保存しておくことができる。すなわち、上記括れ部を切断してチューブ本体のノズル先端から前記キャップを切離すことで、前記口部及び開口部がともに開放された状態となって前記チューブ本体とキャップとが容易に分離されるとともに、保存時には、チューブ本体から分離した前記キャップを前記ノズル先端の口部に強引に押込むことにより当該口部は確実に密封され、容器内に残ったチョコレートの漏洩を防止した状態で保存しておくことができる。
【０００８】
また、前記キャップの外周面には、当該キャップを手指でもって捻るようにして切断するためのフランジ部が水平方向に形成されているため、小サイズのキャップであっても、チューブ本体とキャップとの分離操作が容易に行える。
【０００９】
因みに、前記ノズル先端から前記キャップを切離すための、相互間に中間連結部なるものが存在せず、いたってシンプルな構成となることから、製造工程も煩雑化せず、しかも製造コストも安く済む。
【図面の簡単な説明】
【００１０】
【図１】本考案を実施するための一形態における食品押出式チューブ容器を示すもので（ａ）は平面図、（ｂ）は側面図、（ｃ）は（ｂ）のＡ−Ａ断面図である。
【図２】食品押出式チューブ容器の使用方法の手順を示すもので、（ａ）は使用前（切断前）の平面図、（ｂ）はチューブ本体からキャップを切離した状態の平面図、（ｃ）はチューブ本体の口部に、切離されているキャップを被せる前の状態の平面図、（ｄ）はチューブ本体の口部に、切離されているキャップを被せた状態の平面図である。
【考案を実施するための形態】
【００１１】
以下、図面を参照して本考案の実施の一形態を詳細に説明すると、本考案に係る食品押出式チューブ容器１を構成するペン型のチューブ本体２は、断面略六角形の筒状に形成されていて、例えば、チョコレート等の如き常温において、固形で加熱して半固形のペースト状となる甘味菓子類の容器として使用される。
【００１２】
すなわち、本実施形態におけるペン型のチューブ本体２は、固形のチョコレートが封入されており、このチューブ本体２を約５０℃のお湯につけて、内部のチョコレートをペースト状に柔らかくしておき、チューブ本体２の先端のキャップ６を手指で切断して、塗布対称物（食品）表面にペンでなぞるようにしつつチューブ本体２を手指で圧潰して搾り出すことで使用される。
【００１３】
本実施形態におけるチューブ本体２は、図１に示すように、チューブ本体２の先端開口側に、前方に向けて次第に縮径されたスカート状筒部２ａが形成され、このスカート状筒部２ａの先端に小径筒状のノズル４が連設されてなる。
【００１４】
また、チューブ本体２の後端側には、底端部に丸みを帯びた細径の中空管部３を設けてあり、該中空管部３の側面には、チューブ本体２内部の負圧を防いで、内部のチョコレートの押出（スクイズ）をスムーズに行わせるためのエアー吸引用の逆支弁３ａが設けられている。なお、この逆止弁３ａは、スクイズ圧の加圧時に外気の流れを遮断し、スクイズ圧の解除時に外気を通気する目的で設けられるものである。
【００１５】
チューブ本体２は、図１及び図２（ａ）に示すように、ノズル４先端の口部４ａと、キャップ６の開口部６ｂとが、薄肉ネック状の括れ部５を介して接続されており、前記口部４ａ及び開口部６ｂはこの括れ部５によってともに閉塞された状態となっている。従って、括れ部５を切断した後には、キャップ６に開口部６ｂが形成されるものとなる。この場合、ノズル４先端の口部４ａの外径は、切断後にキャップ６の開口部６ｂとなる括れ部５の内径と略同じサイズに設定されている。
【００１６】
また、上記括れ部５を手指でもって折る（もしくは捻る）ようにして切断し易くするために、キャップ６の外周面には、薄片状のフランジ部６ａが水平方向に形成されている。なお、これらチューブ本体２、括れ部５、キャップ６、フランジ部６ａは合成樹脂のモールド成形によって同時に一体となって形成されるものである。
【００１７】
次に、以上のように構成された形態についての使用の一例について説明すると、先ず、図２（ａ）及び図２（ｂ）に示すように、チューブ本体２のノズル４先端の口部４ａとキャップ６の開口部６ｂとの接続部分にある括れ部５を手指でもって折る（もしくは捻る）ようにして切断する。これにより、当初キャップ６によって閉塞されていたノズル４先端の口部４ａが開放されると同時に、前記キャップ６には開口部６ｂが形成される。
【００１８】
使用後において、チューブ本体２内にチョコレートが残っている場合には、キャップ６の開口部６ｂ側をチューブ本体２のノズル４先端の口部４ａに被せて強制的に押込むことにより当該口部４ａを密封状に塞いでおく。
【００１９】
以上のようにして、チューブ本体２からキャップ６を切離した後でも、チューブ本体２内に残ったチョコレートを確実に密封して保存しておくことができる。
【産業上の利用可能性】
【００２０】
本考案に係る食品押出式チューブ容器は、上記したチョコレート等の如き常温において、固形で加熱して半固形のペースト状となる甘味菓子類の容器として使用されるものに限らず、例えば、ジャム・クリーム・マヨネーズ・ソース・ドレッシング・味噌等の粘性のある調味食材や、さらには加熱して軟化する種々の食材等の容器として使用する等、その他様々な用途に応用しても良い。
【符号の説明】
【００２１】
１        食品押出式チューブ容器
２        チューブ本体
２ａ      スカート状筒部
３        中空管部
３ａ      逆止弁
４        ノズル
４ａ      口部
５        括れ部
６        キャップ
６ａ      フランジ部
６ｂ      開口部
【図１】
0003199248.tif 000003
【図２】
0003199248.tif 000004